(57)【特許請求の範囲】
【請求項１】
共通配線に共通に接続された親機と複数の副機間で通話が可能なインターホン装置であって、
前記親機及び複数の副機にそれぞれ設けられ、操作手順により通話相手の呼び出しアドレスの選択、および、会議通話モードか秘話通話モードかの自機の通話モードの選択を行う選局スイッチと、
前記選局スイッチの操作手順により、呼出しアドレスを共通配線にそれぞれ送信する送信手段と、
前記選局スイッチの操作手順により自機の選択された通話モードを切り換えて設定を行う通話モード設定手段と、
前記親機に設けられ、前記複数の副機の各々の通話モード設定手段が設定したモードを記憶する記憶手段と、
この記憶手段が記憶したモードに基づいて前記複数の副機の制御を行う制御手段と、を具備したことを特徴とするインターホン装置。
【請求項２】
共通配線に共通に接続された複数の副機間で通話が可能なインターホン装置であって、
複数の副機にそれぞれ設けられ、操作手順により通話相手の呼び出しアドレスの選択、および、会議通話モードか秘話通話モードかの自機の通話モードの選択を行う選局スイッチと、
前記複数の副機にそれぞれ設けられ、選局スイッチの操作により秘話通話モードが選択されたときには、選択した通話相手の呼出しアドレスに一定値を加えて秘話呼出信号として共通配線を介して自機以外の全ての副機に送信する送信手段と、
前記複数の副機にそれぞれ設けられ、自己アドレスを記憶する記憶手段と、
前記複数の副機にそれぞれ設けられ、前記記憶手段が記憶した自己アドレスと前記共通配線を介して送られてきた秘話呼出信号から前記一定値を減じて得られる呼出しアドレスが一致した場合には呼出し音を出力する音声出力手段と、
前記複数の副機にそれぞれ設けられ、前記秘話呼出信号を受信している状態で、前記自己アドレスと前記呼出しアドレスが一致した場合には、前記呼出し音出力後、通話可能状態に自己の副機を設定し、前記自己アドレスと前記呼出しアドレスが一致しなかった場合には通話不能状態に自己の副機を設定する設定手段と、を具備したことを特徴とするインターホン装置。
【請求項３】
共通配線に共通に接続された複数の副機間で通話が可能なインターホン装置であって、
複数の副機にそれぞれ設けられ、操作手順により通話相手の呼び出しアドレスの選択、および、会議通話モードか秘話通話モードかの自機の通話モードの選択を行う選局スイッチと、
前記複数の副機にそれぞれ設けられ、選局スイッチの操作により秘話通話モードが選択されたときには、選択した通話相手の呼出しアドレスに一定値を加えて秘話呼出信号として共通配線を介して自機以外の全ての副機に送信する送信手段と、
前記複数の副機にそれぞれ設けられ、自己アドレスをそれぞれ記憶する記憶手段と、
前記複数の副機にそれぞれ設けられ、前記秘話呼出信号を受信している状態で、前記自己アドレスと前記共通配線を介して送られてきた秘話呼出信号から前記一定値を減じて得られる呼出しアドレスが一致した場合には通話可能状態に自己の副機を設定する設定手段と、を具備したことを特徴とするインターホン装置。
【請求項４】
前記記憶手段に不揮発性メモリを用いたことを特徴とする請求項１乃至３のいずれか１つに記載のインターホン装置。
【発明の詳細な説明】
【０００１】
【産業上の利用分野】
本発明は、共通通話路に複数の副機を接続し、副機間で通話を行うインターホン装置に係り、特に選局スイッチを有効活用できるようにしたインターホン装置に関する。
【０００２】
【従来の技術】
従来、インターホン装置においては、親機と子機との間のみ通話可能な親子式のインターホン装置と、親機と副機との間のみならず副機同志で通話が可能な相互式とがある。
【０００３】
図１２はこのような従来の親子式のインターホン装置を示すブロック図である。
【０００４】
図１２において、一つの親機９０１に対して複数の子機９１１，９１２…９１ｎがそれぞれ個別の線路９２１，９２２…９２ｎを介して接続される。線路９２１，９２２…９２ｎは、音声と電源の２本の配線となっている。
【０００５】
このような従来の親子式のインターホン装置では、個別の線路９２１，９２２…９２ｎを介して親機９０１と複数の子機９１１，９１２…９１ｎの間の通話が可能となるが、子機９１１，９１２…９１ｎ同志の通話が行えないという欠点がある。
【０００６】
図１３は従来の相互式のインターホン装置を示すブロック図である。
【０００７】
図１３において、符号９５０は電源，音声，伝送，共通の４本の配線より構成される共通線路であり、この共通線路９５０には、１つの親機９５１と複数の副機９６１，９６２…が共通に接続されている。親機９５１は、コンセント９５２から供給された商用交流電圧を整流して共通線路９５０の電源配線を介して副機９６１，９６２…に供給するようになっている。
このような従来の相互式のインターホン装置では、共通線路９５０を介して親機９５１と複数の副機９６１，９６２…との間の通話が可能となるとともに、副機９６１，９６２…同志の通話が可能となる。しかしながら、このような相互式のインターホン装置では、呼出しの際に親機及び複数の副機を識別するために、親機及び複数の副機の全てにデップスイッチを設けて親機及び複数の副機の自己アドレスを設定するようにしているが、デップスイッチが多数になるために、慣れないユーザーにとっては操作に時間がかかってしまう。このことに対応してロータリースイッチタイプを用いるものも開発されているが、これではコストがかかりすぎる。自己アドレスを設定するためのデップスイッチやロータリースイッチは、親機及び複数の副機の裏側に設けるので、親機や複数の副機を壁などに取り付け固定した場合には自己アドレスを変更できなくなるという問題がある。
【０００８】
【発明が解決しようとする課題】
前記した従来の相互式のインターホン装置は、親機及び複数の副機を識別するために、親機及び複数の副機の全てにデップスイッチやロータリースイッチを設けて親機及び複数の副機の自己アドレスを設定するようにしているが、これでは操作が複雑化したりコストがかかりずぎたりして不都合であるとともに、親機や複数の副機を取り付け固定した場合には自己アドレスを変更できなくなるという問題がある。
【０００９】
そこで本発明は前記の問題点を除去し、選局スイッチを選局以外の設定用に使用できるようにしたインターホン装置の提供を目的とする。
【００１０】
【課題を解決するための手段】
本発明のインターホン装置は、共通配線に共通に接続された親機と複数の副機間で通話が可能なインターホン装置であって、前記親機及び複数の副機にそれぞれ設けられ、操作手順により通話相手の呼び出しアドレスの選択、および、会議通話モードか秘話通話モードかの自機の通話モードの選択を行う選局スイッチと、前記選局スイッチの操作手順により、呼出しアドレスを共通配線にそれぞれ送信する送信手段と、前記選局スイッチの操作手順により自機の選択された通話モードを切り換えて設定を行う通話モード設定手段と、前記親機に設けられ、前記複数の副機の各々の通話モード設定手段が設定したモードを記憶する記憶手段と、この記憶手段が記憶したモードに基づいて前記複数の副機の制御を行う制御手段と、を具備したことを特徴とする。
【００１１】
【作用】
この様な構成によれば、選局スイッチの操作手順の違いによって、通話相手の選択と会議通話か秘話通話かの自機の通話モードが選択できる。すなわち、通話モード設定手段が、前記選局スイッチを操作することにより、自機の通話モードの設定を行うので、選局スイッチを選局以外のモードの設定用に使用できる。
【００１２】
【実施例】
以下、本発明の実施例を図面を参照して説明する。
【００１３】
図１は本発明に係るインターホン装置の一実施例を示すブロック図である。
【００１４】
図１において、符号１０は、電源配線１１，音声配線１２，伝送配線１３及び共通配線１４の４本の配線より構成される共通線路であり、この共通線路１０の電源配線１１及び音声配線１２は電源ユニット２１の出力端子対に接続されている。電源ユニット２１は、交流電源２２からのＡＣ１００Ｖの交流電圧を整流し電源配線１１及び音声配線１２の間に１２Ｖの直流電圧を発生させる。
【００１５】
共通線路１０の電源配線１１，音声配線１２，伝送配線１３及び共通配線１４は、複数の副機３１，３２…に接続されている。
【００１６】
副機３１，３２…は、表側にハンドセット４０と１番から５番までの選局スイッチ４１，４２…４５が設けられ、内部に自己アドレスを記憶する不揮発性メモリ４６が設けられている。副機３１，３２…は、選局スイッチ４１，４２…４５の操作を行うことにより自己アドレスを設定して不揮発性メモリ４６に記憶させることができる。
【００１７】
図２は図１の副機３１を更に詳細に示すブロック図である。
【００１８】
副機３１の入力端子５１，５２，５３，５４はそれぞれ電源配線１１，音声配線１２，伝送配線１３及び共通配線１４に接続されている。
【００１９】
また入力端子５１は、副機３１の内部に設けられた電源回路６１に接続されている。
【００２０】
電源回路６１は、電源配線１１からの１２Ｖの直流電圧を降圧して５Ｖの直流電圧を作成して不揮発性メモリ４６，伝送インターフェイス６２，制御回路６３及び抵抗Ｒ１，Ｒ２…Ｒ５，Ｒ１０の一端に供給する。
【００２１】
入力端子５２は、副機３１の内部に設けられた相手フック検出回路６４に接続されるとともにスイッチ６５の一端に接続されている。スイッチ６５の他端はアンプ６６を介して切換えスイッチ６７の第１の入力端子Ａ１に接続されている。
【００２２】
図１のハンドセット４０に設けられたマイク６８は、アンプ６６を介してスイッチ６５の他端に接続される。
【００２３】
相手フック検出回路６４は、音声配線１２の電圧を検出することにより、通話相手となる副機のハンドセットがフックされているか否かを検出し、この検出結果を示す相手フック検出信号ａ１を作成して制御回路６３に供給する。
【００２４】
入力端子５３は、副機３１の内部に設けられた伝送インターフェイス６２に接続されている。
【００２５】
伝送インターフェイス６２は、伝送線路１３からの他の副機が指定する呼出しアドレスを示す伝送信号からデータ信号ｂ１を作成して制御回路６３に供給するとともに、制御回路からのデータ信号ｃ１より呼出しアドレスを示す伝送信号を作成して出力端子５３に導く。
【００２６】
入力端子５４は、副機３１の基準電位点に接続されている。
【００２７】
抵抗Ｒ１，Ｒ２，Ｒ３，Ｒ４，Ｒ５の他端は、それぞれ選局スイッチ４１，４２，４３，４４，４５の一端に接続されるとともに、それぞれ制御回路６３の第１乃至第５のスイッチ信号検出端子に接続されている。選局スイッチ４１，４２，４３，４４，４５の他端は基準電位点に接続されている。
【００２８】
制御回路６３のリセット端子はダイオードＤ１，Ｄ２のアノードカソード路の直列接続を介して選局スイッチ４５の他端に接続されている。ダイオードＤ１には、並列にリセットＩＣ６８が接続されている。リセットＩＣ６８は、スイッチ４５のオン，オフを検出し、この検出結果に基づいてリセット信号を作成して制御回路６３のリセット端子に導く。また、図示しないが、このようなダイオードＤ１，Ｄ２及びリセットＩＣ６８は、選局スイッチ４１，４２，４３，４４にも設けられている。コンデンサＣ１，Ｃ２と水晶振動子６９は、基準信号発振器を構成しており、制御回路６３に動作の基準となる基準信号を供給するようになっている。
【００２９】
制御回路６３は、第１乃至第５のスイッチ信号検出端子により選局スイッチ４１，４２，４３，４４，４５のオン，オフを検出し、この検出結果に基づいて自己アドレスを設定し、自己アドレスデータ信号ｅ１を不揮発性メモリ４６に供給したり、通話相手の呼出しアドレスを設定し、この呼出しアドレスを示すデータ信号ｃ１を作成して伝送インターフェイス６２に供給する。
【００３０】
不揮発性メモリ４６は、制御回路６３からの自己アドレスデータ信号ｅ１が示す自己アドレスデータを１バイトのアドレスで記憶するとともに、制御回路６３の読出し制御に基づいて記憶した自己アドレスデータを自己アドレスデータ信号ｆ１として制御回路６３に供給する。
【００３１】
制御回路６３は、伝送インターフェイス６２からのデータ信号ｂ１の示す読出しアドレスが不揮発性メモリ４６からの自己アドレスデータ信号ｆ１と一致した場合に呼び出し音声信号ｇ１を作成してアンプ７０を介して切換えスイッチ６７の第２の入力端子Ａ２に供給する。
【００３２】
切換えスイッチ６７のコモン端子Ｃは、図１のハンドセット４０に設けられたスピーカ７１に接続される。
【００３３】
スイッチ４７，６５及び切換えスイッチ６７はハンドセットのフック釦に連動しており、ハンドセットが本体にフックされた状態では、スイッチ４７，６５がオフされるとともに、切換えスイッチ６７が第２の入力端子Ａ２を選択してコモン端子Ｃに接続する。ハンドセットがフックされていない状態では、スイッチ４７，６５がオンされるとともに、切換えスイッチ６７が第１の入力端子Ａ１を選択してコモン端子Ｃに接続する。
【００３４】
図３は図１の不揮発性メモリ４６におけるアドレスメモリを示す説明図である。
【００３５】
図３に示すように、不揮発性メモリ４６におけるアドレスメモリ８０は、４ビットの上位アドレスと４ビットの下位アドレスの計８ビットの記憶部８１，８２…８８とから構成される。
【００３６】
上位アドレスの記憶部８１，８２…８４には、自己アドレスデータ信号ｅ１が示す自己アドレスデータの２桁目を記憶し、下位アドレスの記憶部８１，８２…８４には、自己アドレスデータ信号ｅ１が示す自己アドレスデータの１桁目を記憶する。このため、自己アドレスデータが１５番ならば、アドレスメモリ８０には１５ｈ（ｈは１６進を示す）のデータが記憶される。
【００３７】
図４はこのような実施例の動作を示すフローチャートである。
【００３８】
図４において、ステップＳ１は選局スイッチ４１，４２，４３，４４のうちどれか１つが押されたか否かを判定しており、選局スイッチ４１，４２，４３，４４のどれも押されていなかった場合には判定がノーとなって処理を終了し、選局スイッチ４１，４２，４３，４４のうちどれか１つが押されていた場合には判定がイエスとなってステップＳ２の処理に移行する。
【００３９】
ステップＳ２は、選局スイッチ４１，４２，４３，４４のうち二つのスイッチが同時に押されたか否かを判定しており、二つのスイッチが同時に押された場合には判定がイエスとなってステップＳ３に移行し、二つの選局スイッチが同時に押されていなかった場合には判定がノーとなってステップＳ１１に移行する。ステップＳ３は、１番と４番の選局スイッチ４１，４４が押されたか否かを判定しており、１番と４番の選局スイッチ４１，４４が押されていなかった場合には判定がノーとなって処理を終了し、１番と４番の選局スイッチ４１，４４が押されていた場合には判定がイエスとなって、ステップＳ４においてアドレス設定フラグをセットし、ステップＳ５で制御回路６３のキーカウンタをクリヤして処理を終了する。ステップＳ２において、二つの選局スイッチが同時に押されていなかった場合には判定がノーとなってステップＳ１１に移行する。
【００４０】
ステップＳ１１は、アドレス設定フラグがセットされたか否かを判定しており、アドレス設定フラグがセットされていない場合には、判定がノーとなって、ステップＳ２１において、選局スイッチ４１，４２，４３，４４，４５のオン，オフを検出し、通話相手の呼出しアドレスを設定し、この呼出しアドレスを示すデータ信号ｃ１を作成して伝送インターフェイス６２に供給して処理を終了する。
【００４１】
ステップＳ１２は、制御回路６３のキーカウンタが０か否かを判定しており、キーカウンタが０の場合には、判定がイエスとなってステップＳ１３においてオンされた選局スイッチの番号を記憶し、ステップＳ１４においてキーカウンタのカウント値に１を加算し、処理を終了する。ステップＳ１２において、キーカウンタが０でない場合には、判定がノーとなってステップＳ２２においてオンされた選局スイッチの番号をアドレスの下位に記憶し、ステップＳ２３においてキーカウンタをクリアし、ステップＳ２４においてアドレス設定フラグをクリアして処理を終了する。
【００４２】
このような処理による具体的動作を以下に説明する。
【００４３】
自己アドレスを設定する場合には、まず１番と４番の選局スイッチ４１，４４を押すことによりステップＳ１→Ｓ２→Ｓ３→Ｓ４→Ｓ５の流れとなり、アドレス設定フラグがセットされ、キーカウンタがクリアされて、自己アドレス入力待ちの状態となる。この後、まず記憶させたい自己アドレスの２桁目の番号（例えば記憶させたい自己アドレスが１５番の場合１番）の選局スイッチを押す。これにより、ステップＳ１→Ｓ２→Ｓ１１→Ｓ１２→Ｓ１３→Ｓ１４の流れとなり、押された選局スイッチの番号を不揮発性メモリ４６の上位アドレスに記憶する。この後、記憶させたい自己アドレスの１桁目の番号（例えば記憶させたい自己アドレスが１５番の場合５番）の選局スイッチを押す。これにより、ステップＳ１→Ｓ２→Ｓ１１→Ｓ１２→Ｓ２２→Ｓ２３→Ｓ２４の流れとなり、押された選局スイッチの番号を不揮発性メモリ４６の下位アドレスに記憶する。これにより不揮発性メモリ４６には自己アドレスが記憶された状態となる。
【００４４】
通話相手を呼び出す場合には、ハンドセットを本体から取り外す。これにより、スイッチ４７，６５がオンされるとともに、切換えスイッチ６７が第１の入力端子Ａ１を選択してコモン端子Ｃに接続する。
【００４５】
次に、通話相手の呼出しアドレスデータを２桁目の番号の選局スイッチを押す。この状態ではアドレス設定フラグはセットされていないので、ステップＳ１→Ｓ２→Ｓ１１→Ｓ２１の流れとなり、制御回路６３は押された選局スイッチの番号に基づきデータ信号ｃ１を作成して伝送インターフェイス６２に供給する。伝送インターフェイス６２は、制御回路６３からのデータ信号ｃ１より伝送信号を作成して出力端子５３から伝送線路１３に導く。次に、通話相手の呼出しアドレスデータを１桁目の番号の選局スイッチを押す。これにより、ステップＳ１→Ｓ２→Ｓ１１→Ｓ２１の流れとなり、制御回路６３は押された選局スイッチの番号にもとづきデータ信号ｃ１を作成し、伝送インターフェイス６２は、制御回路６３からのデータ信号ｃ１より伝送信号を作成して出力端子５３から伝送線路１３に導く。
【００４６】
他の副機のハンドセットが取られた場合には、相手フック検出回路６４は、他の副機のハンドセットがフックされていないことを検出し、この検出結果を示す相手フック検出信号ａ１を作成して制御回路６３に供給する。これにより、制御回路６３は、不揮発性メモリ４６に記憶した自己アドレスデータを自己アドレスデータ信号ｆ１として読出させる。そして、制御回路６３は、伝送インターフェイス６２からのからのデータ信号ｂ１の示す読出しアドレスデータが不揮発性メモリ４６からの自己アドレスデータ信号ｆ１と一致した場合に呼び出し音声信号を作成してアンプ７０、切換えスイッチ６７を介してスピーカ７１に供給する。これにより、スピーカ７１から音声が出力される。この状態で副機３１のハンドセットを本体から取り外す。これにより、スイッチ４７，６５がオンされるとともに、切換えスイッチ６７が第１の入力端子Ａ１を選択してコモン端子Ｃに接続する。これにより、マイク６８とスピーカ７１はアンプ６６を介して音声配線１２と接続され、他の副機との会話が可能となる。
【００４７】
このような実施例によれば、選局スイッチ４１，４２…４５を自己アドレスの設定用のスイッチと兼用することができるので、インターホン装置の製造コストの低減が可能になるとともに、自己アドレスの設定の操作性も向上する。
【００４８】
図５は本発明に係るインターホン装置の他の実施例を示す副機のブロック図であり、図２に示した実施例と同じ構成要素には同じ符号を付して説明を省略している。
【００４９】
図５において、本実施例で異なるのは、副機１０１の入力端子５２とスイッチ６５の間にリレースイッチ９０を挿入し、このリレースイッチ９０を制御回路９３でオン・オフすることにより、秘密通話と会議通話との切換えを可能にしたことである。この場合の秘密通話と会議通話の切換え情報は、不揮発性メモリ４６に記憶している。
【００５０】
図６はこのような実施例の秘話設定時の動作を示すフローチャートである。
【００５１】
図６において、ステップＳ３１は、選局スイッチ４１，４２，４３，４４のうち二つのスイッチが同時に押されたか否かを判定しており、二つの選局スイッチが同時に押されていなかった場合には判定がノーとなってステップＳ３２で呼出し処理を行ってから処理を終了し、二つのスイッチが同時に押された場合には判定がイエスとなってステップＳ３３に移行する。
【００５２】
ステップＳ３３は、１番と３番の選局スイッチ４１，４３が押されたか否かを判定しており、１番と３番の選局スイッチ４１，４３が押されていた場合には判定がイエスとなってステップＳ３４で副機１０１の秘話フラグをセットして処理を終了し、１番と３番の選局スイッチ４１，４３が押されていなかった場合には判定がノーとなってステップＳ３５の処理に移行する。
【００５３】
ステップＳ３５は、２番と４番の選局スイッチ４２，４４が押されたか否かを判定しており、２番と４番の選局スイッチ４２，４４が押されていた場合には判定がイエスとなってステップＳ３６で副機１０１の秘話フラグをリセットして処理を終了し、２番と４番の選局スイッチ４２，４４が押されていなかった場合には判定がノーとなって処理を終了する。
【００５４】
このような実施例によれば、選局スイッチ４１，４２…４５を秘話通話と会議通話の切換え用スイッチと兼用することができる。
【００５５】
秘話通話を行う全ての副機の秘話フラグがセットされた場合には、呼出しを行った及び呼び出された副機以外ではリレースイッチ９０により通話不能状態となる。
【００５６】
全ての副機の秘話フラグがリセットされた場合には、全ての副機は通話状態となる。
【００５７】
図７は図６の実施例の第１の変形例を示すフローチャートであり、選局スイッチの操作を行う側の副機の動作を示している。また、この変形例では、説明に図５の回路図を流用する。
【００５８】
図７において、ステップＳ４１は、選局スイッチ４１，４２，４３，４４のうち二つのスイッチが同時に押されたか否かを判定しており、二つの選局スイッチが同時に押されていなかった場合には判定がノーとなってステップＳ４２で呼出し処理を行ってから処理を終了し、二つのスイッチが同時に押された場合には判定がイエスとなってステップＳ４３に移行する。
【００５９】
ステップＳ４３は、１番と３番の選局スイッチ４１，４３が押されたか否かを判定しており、１番と３番の選局スイッチ４１，４３が押されていた場合には判定がイエスとなってステップＳ４４で本副機１０１の秘話フラグをセットするとともに伝送インターフェイスを介して他の副機に秘話フラグをセットするための秘話フラグセット信号を伝送線路１３に導いて処理を終了し、１番と３番の選局スイッチ４１，４３が押されていなかった場合には判定がノーとなってステップＳ４５の処理に移行する。
【００６０】
ステップＳ４５は、２番と４番の選局スイッチ４２，４４が押されたか否かを判定しており、２番と４番の選局スイッチ４２，４４が押されていた場合には判定がイエスとなってステップＳ４６で本副機の秘話フラグをリセットするとともに伝送インターフェイスを介して他の副機の秘話フラグをリセットするための秘話フラグリセット信号を伝送線路１３に導いて処理を終了し、２番と４番の選局スイッチ４２，４４が押されていなかった場合には判定がノーとなってそのまま処理を終了する。
【００６１】
図８は図７の変形例の選局スイッチの操作を行わない側の副機における動作を示すフローチャートである。
【００６２】
図８において、まずステップＳ５１では、伝送インターフェイス６２が伝送線路１３からの信号の受信を行い、データ信号ｂ１を作成して制御回路９３に供給する。次に、ステップＳ５２において制御回路がデータ信号ｂ１を検出することにより、伝送線路１３からの信号が自局呼出し信号か否かを検出し、自局呼出し信号の場合はステップＳ５５においてスピーカ７１から呼出音を出力させ、ハンドセットがとりはずされてフックアップするまでは、ステップＳ５６の動作を繰り返し、フックアップしてからステップＳ５７においてリレースイッチ９０をオンして処理を終了する。
【００６３】
ステップＳ５２において制御回路が自局呼出し信号でなかったことを検出した場合には、ステップＳ５３で他局呼出し信号か否かを検出し、他局呼出し信号の場合はステップＳ５８において自機に秘話フラグがセットされているか否かを判定し、秘話フラグがセットされていない場合はステップＳ５７に移行し、秘話フラグがセットされている場合はステップＳ５９に移行しリレースイッチ９０をオフして処理を終了する。
【００６４】
ステップＳ５３で他局呼出し信号でないことを判定した場合には、ステップＳ５４で秘話フラグセット信号か否かを判定し、秘話フラグセット信号の場合にはステップＳ６０において秘話フラグをセットして処理を終了し、秘話フラグセット信号でない場合にはステップＳ６１の判定に移行する。
【００６５】
ステップＳ６１は、伝送線路１３からの信号が秘話フラグリセット信号か否かを検出しており、秘話フラグリセット信号でなかった場合にはそのまま処理を終了し、秘話フラグリセット信号だった場合にはステップＳ６２において秘話フラグをリセットして処理を終了する。
【００６６】
このような図７及び図８の変形例によれば、秘話通話と会議通話をユーザーが選択できるので、業務用として非常に便利なものとなるとともに、選局スイッチを秘話通話と会議通話の設定の両方に兼用しているので、製造コストの増大を抑制できる。一台の副機の操作で残りの副機の秘話通話と会議通話の設定を行えるので、設定作業が容易であるという効果もある。
【００６７】
図９は図６の実施例の第２の変形例を示すフローチャートであり、選局スイッチの操作を行う側の副機の動作を示している。また、この変形例では、説明に図５の回路図を流用する。
【００６８】
図９は図５の実施例の第２の変形例の呼出を行う副機における動作を示すフローチャートであり、図５の実施例の回路図も流用して説明する。
【００６９】
この場合の実施例では、１番と５番の選局スイッチ４１，４５を押すことにより、秘話呼出しモードに切換え、秘話呼出しモードの場合には、選局スイッチで設定した呼出しアドレスの１１ｈ，１２ｈ…５５ｈに８０ｈを加えて送信することにより、他の副機に秘話通話と会議通話の設定を行わせている。
【００７０】
図９において、ステップＳ７１は選局スイッチ４１，４２，４３，４４のうちどれか１つが押されたか否かを判定しており、選局スイッチ４１，４２，４３，４４のどれも押されていなかった場合には判定がノーとなって処理を終了し、選局スイッチ４１，４２，４３，４４のうちどれか１つが押されていた場合には判定がイエスとなってステップＳ７２の処理に移行する。
【００７１】
ステップＳ７２は、選局スイッチ４１，４２，４３，４４のうち二つのスイッチが同時に押されたか否かを判定しており、二つのスイッチが同時に押された場合には判定がイエスとなってステップＳ７３に移行し、二つの選局スイッチが同時に押されていなかった場合には判定がノーとなってステップＳ８０に移行する。ステップＳ７３は、１番と５番の選局スイッチ４１，４５が押されたか否かを判定しており、１番と５番の選局スイッチ４１，４５が押されていなかった場合には判定がノーとなって処理を終了し、１番と５番の選局スイッチ４１，４５が押されていた場合には判定がイエスとなって、ステップＳ７４において秘話呼出しフラグをセットし、ステップＳ７５で制御回路９３のキーカウンタをクリヤして処理を終了する。ステップＳ７２において、二つの選局スイッチが同時に押されていなかった場合には判定がノーとなってステップＳ８０に移行する。
【００７２】
ステップＳ８０は、秘話呼出しフラグがセットされたか否かを判定しており、秘話呼出しフラグがセットされていた場合には、判定がイエスとなって、ステップＳ８１に移行し、秘話呼出しフラグがセットされていない場合には、判定がノーとなって、ステップＳ９１に移行する。
【００７３】
ステップＳ８１は、制御回路９３のキーカウンタが０か否かを判定しており、キーカウンタが０の場合には、判定がイエスとなってステップＳ８２においてオンされた選局スイッチの番号を秘話呼出し上位アドレスとして設定し、ステップＳ８３においてキーカウンタのカウント値に１を加算し、処理を終了する。ステップＳ８１において、キーカウンタが０でない場合には、判定がノーとなってステップＳ８４においてオンされた選局スイッチの番号を秘話呼出し下位アドレスとして設定し、ステップＳ８５においてキーカウンタをクリアし、ステップＳ８６において伝送インターフェイス６２に秘話呼出信号を出力させ、ステップＳ８７において秘話呼出フラグをリセットして処理を終了する。
【００７４】
ステップＳ９１は、制御回路９３のキーカウンタが０か否かを判定しており、キーカウンタが０の場合には、判定がイエスとなってステップＳ９２においてオンされた選局スイッチの番号を呼出し上位アドレスとして設定し、ステップＳ９３においてキーカウンタのカウント値に１を加算し処理を終了する。ステップＳ９１において、キーカウンタが０でない場合には、判定がノーとなってステップＳ９４においてオンされた選局スイッチの番号を呼出し下位アドレスとして設定し、ステップＳ９５においてキーカウンタをクリアし、ステップＳ９６において伝送インターフェイスに呼出信号を出力させて処理を終了する。
【００７５】
図１０は図９の変形例の選局スイッチの操作を行わない側の副機における動作を示すフローチャートである。
【００７６】
図１０において、まずステップＳ１０１では、制御回路がデータ信号ｂ１を検出することにより、呼出し信号を受信したか否かを検出し、呼出し信号を受信しなかった場合には処理を終了し、呼出し信号を受信した場合にはステップＳ１０２の処理に移行する。
【００７７】
ステップＳ１０２では、呼出し信号による呼出しアドレスの最上位ビットにマスクを行う。この後、ステップＳ１０３において、制御回路が自局宛ての呼出し信号か判定を行う。
【００７８】
ステップＳ１０３において制御回路９３が自局呼出し信号であることを検出した場合には、ステップＳ１０４においてスピーカ７１から呼出音を出力させ、ハンドセットがとりはずされてフックアップするまでは、ステップＳ１０５の動作を繰り返し、フックアップしてからステップＳ１０６においてリレースイッチ９０をオンして処理を終了する。
【００７９】
ステップＳ１０３において制御回路９３が自局呼出し信号でないと検出した場合には、ステップＳ１０７において制御回路が呼出しアドレスの最上位ビットが１となるか否かを判定する。
【００８０】
ステップＳ１０７において制御回路９３が呼出しアドレスの最上位ビットが１となることを検出した場合にはステップＳ１０８においてリレースイッチをオフし、ステップＳ１０７において制御回路が呼出しアドレスの最上位ビットが１とならない場合にはステップＳ１０９においてリレースイッチをオンする。
【００８１】
このような実施例によれば、全ての副機の秘話通話と会議通話との選択を呼出しを行う副機で選択できるので、図８の実施例よりも便利なものとなる。
【００８２】
図１１は本発明に係るインターホン装置のもう一つの他の実施例を示すブロック図であり、図１の実施例と同じ構成要素には同じ符号を付して説明を省略している。
【００８３】
図１１において、副機２３１，２３２…は、選局スイッチ４１，４２…４５の操作を行うことにより会議通話と親子通話とのうち一方を選択し、この選択を示すデータを不揮発性メモリ２４６に記憶させることができる。
【００８４】
この場合の設定方法としては、例えば、３番と４番のスイッチ選局スイッチ４３，４４を同時に押せば会議通話となり、３番と５番のスイッチ選局スイッチ４３，４５を同時に押せば親子通話となるようにしている。
【００８５】
このような実施例によれば、会議通話と親子通話の選択を選局スイッチで設定できるので非常に便利なものとなる。
【００８６】
尚、図９の実施例では、選局スイッチで設定した呼出しアドレスに８０ｈを加えて送信することにより、他の副機に秘話通話と会議通話の設定を行わせているが、呼出しアドレスの送信と同時ならば、８０ｈ以外のデータを用いるように構成してもよい。また、図１乃至図１１に示した実施例では選局スイッチで設定したデータを記憶する手段で不揮発メモリを用いたが、通常のメモリを用いてもよい。
【００８７】
【発明の効果】
以上述べた様にこの発明によれば、選局スイッチを選局以外のモードの設定用に使用できるので、インターホン装置の製造コストの低減が可能になるとともに、選局以外の設定の操作性も向上する。
【図面の簡単な説明】
【図１】  本発明に係るインターホン装置の一実施例を示すブロック図。
【図２】  図１の副機を更に詳細に示すブロック図。
【図３】  図１の不揮発性メモリにおけるアドレスメモリを示す説明図。
【図４】  図１の実施例の動作を説明する回路図。
【図５】  インターホン装置の他の実施例を示す副機のブロック図。
【図６】  図５の実施例の秘話設定時の動作を示すフローチャート。
【図７】  図６の実施例の第１の変形例の選局スイッチの操作を行う側の副機の動作を示すフローチャート。
【図８】  図８は図７の変形例の選局スイッチの操作を行わない側の副機における動作を示すフローチャート。
【図９】  図６の実施例の第２の変形例の選局スイッチの操作を行う側の副機の動作を示すフローチャート。
【図１０】  図９の変形例の選局スイッチの操作を行わない側の副機における動作を示すフローチャート。
【図１１】  本発明に係るインターホン装置のもう一つの他の実施例を示すブロック図。
【図１２】  従来の親子式のインターホン装置を示すブロック図。
【図１３】  従来の相互式のインターホン装置を示すブロック図。
【符号の説明】
１０    共通線路
１１    電源配線
１２    音声配線
１３    伝送配線
１４    共通配線
３１，３２    副機
４１，４２…４５    選局スイッチ
４６    不揮発性メモリ
【図１】
0003684581.tif 000002
【図２】
0003684581.tif 000003
【図３】
0003684581.tif 000004
【図４】
0003684581.tif 000005
【図５】
0003684581.tif 000006
【図６】
0003684581.tif 000007
【図７】
0003684581.tif 000008
【図８】
0003684581.tif 000009
【図９】
0003684581.tif 000010
【図１０】
0003684581.tif 000011
【図１１】
0003684581.tif 000012
【図１２】
0003684581.tif 000013
【図１３】
0003684581.tif 000014